(57)【要約】      （修正有）【課題】灯本体を黒板と一体化してコンパクトな構造にし、外観上の体裁、見栄えを良くすると共に、昇降式の黒板に設置した場合でも灯本体がガタつくようなことがなく、地球環境に優しい省エネ対応の黒板照明灯を備えた黒板装置を提供する。【解決手段】黒板１の上端部に黒板照明灯２を設置した黒板装置において、黒板照明灯２は、黒板１上端部の長手方向全域にわたり取り付け固定されて黒板１の前方へ突出する本体笠枠３を有し、本体笠枠３内に下面側が開口したライト取付部５を形成し、ライト取付部５に、多数のＬＥＤを直線状に配設することによって形成されるＬＥＤライト６を取り付ける。【選択図】図２
0003161454.tif 000002
【実用新案登録請求の範囲】
【請求項１】
黒板の上端部に黒板照明灯を設置した黒板装置において、黒板照明灯は、黒板上端部の長手方向全域にわたり取り付け固定されて黒板の前方へ突出する本体笠枠を有し、この本体笠枠内に下面側が開口したライト取付部を形成し、このライト取付部に、多数のＬＥＤを直線状に配設することによって形成されるＬＥＤライトを取り付けてなることを特徴とする黒板装置。
【請求項２】
前記本体笠枠には、前記黒板の前面側で電子黒板やタッチパネルなどのボードを黒板長手方向移動可能に吊支してなることを特徴とする請求項１に記載の黒板装置。
【請求項３】
前記本体笠枠のライト取付部には下面側開口部に半透明のカバーを取り付けてなることを特徴とする請求項１又は２に記載の黒板装置。
【請求項４】
前記本体笠枠の一側端部は全長にわたって断面下向きコ字状の嵌合枠部を形成し、この嵌合枠部が黒板上端部の長手方向全域に嵌合するようになっていることを特徴とする請求項１〜３の何れかに記載の黒板装置。
【考案の詳細な説明】
【技術分野】
【０００１】
本考案は、黒板の上端部に黒板照明灯を設置した黒板装置に関する。
【背景技術】
【０００２】
従来の黒板装置として、特許公報などの具体的な公知文献を挙げることはできないが、従来の黒板に設置されている黒板照明灯は、黒板の上端部にアーチ状の支柱を黒板長手方向に所定間隔をおいて複数本取り付け、これら複数本のアーチ状支柱の先端部で長尺状の灯本体を支持固定し、この灯本体内に普通の直管形蛍光灯を取り付けるようにしたものである。
【考案の概要】
【考案が解決しようとする課題】
【０００３】
上記のような黒板装置の黒板照明灯にあっては、黒板の上端部に取り付けられる複数本のアーチ状支柱を介して灯本体を支持固定するようになっているため、これらアーチ状支柱と灯本体が室内側に出っ張って、外観上の体裁、見栄えが悪く、また昇降式の黒板に設置した場合には黒板の昇降時に灯本体が揺れてガタガタと振動音を生ずるといった問題があった。また従来の黒板照明灯では、普通の蛍光灯を使用するため、消費電力が比較的大きく、使用寿命も短く、不経済であった。
【０００４】
本考案は、灯本体を黒板と一体化してコンパクトな構造にし、外観上の体裁、見栄えを良くすると共に、昇降式の黒板に直接設置して黒板を昇降する時でも灯本体がガタつくようなことがなく、更に消費電力が小さく、ライトの使用寿命も非常に長い黒板照明灯を備えた黒板装置を提供することを目的とする。
【課題を解決するための手段】
【０００５】
上記課題を解決するための手段を、後述する実施形態の参照番号を付して説明すると、請求項１に係る考案は、黒板１の上端部に黒板照明灯２を設置した黒板装置において、黒板照明灯２は、黒板１上端部の長手方向全域にわたり取り付け固定されて黒板１の前方へ突出する本体笠枠３を有し、この本体笠枠３内に下面側が開口したライト取付部５を形成し、このライト取付部５に、多数のＬＥＤ７・・・を直線状に配設することによって形成されるＬＥＤライト６を取り付けてなることを特徴とする。
【０００６】
請求項２は、請求項１に記載の黒板装置において、前記本体笠枠３には、前記黒板１の前面側で電子黒板やタッチパネルなどのボード１１を黒板１長手方向移動可能に吊支してなることを特徴とする。
【０００７】
請求項３は、請求項１又は２に記載の黒板装置において、前記本体笠枠３のライト取付部５には下面側開口部に半透明のカバー１０を取り付けてなることを特徴とする。
【０００８】
請求項４は、請求項１〜３の何れかに記載の黒板装置において、前記本体笠枠３の一側端部は全長にわたって断面下向きコ字状の嵌合枠部４を形成し、この嵌合枠部４が黒板１上端部の長手方向全域に嵌合するようになっていることを特徴とする。
【考案の効果】
【０００９】
上記解決手段による考案の効果を、後述する実施形態の参照番号を付して説明すると、請求項１に係る考案の黒板装置によれば、黒板照明灯２の本体笠枠３を、黒板１上端部の長手方向全域にわたって取り付け固定し、この本体笠枠３内に下面側が開口したライト取付部５を形成しているから、本体笠枠３が黒板１と一体化してコンパクトでスリムな構造となり、外観上の体裁、見栄えが良くなると共に、黒板照明灯２を昇降式黒板に設置した場合に黒板１を昇降する時も黒板１がガタつくようなことがない。また、ライト取付部５には、多数のＬＥＤ７・・・を直線状に配設することによって形成されるＬＥＤライト６を取り付けているので、黒板１の長さ方向全域にわたって一様な照度分布が得られる一方、消費電力が小さく、ライトの使用寿命も非常に長くなって、地球環境に優しい省エネ対応の黒板照明灯２を備えた黒板装置を提供することができる。
【００１０】
請求項２に係る考案によれば、本体笠枠３には、黒板１の前面側で電子黒板やタッチパネルなどのボード１１を黒板１長手方向移動可能に吊支しているから、通常の黒板１の使用と共に、黒板１前面側の所要位置で電子黒板やタッチパネルなどの使用が可能となる。ボード１１として例えば電子黒板を採用すれば、この黒板装置を学校や企業研修所などに設置した場合は、通常の黒板１の使用中に電子黒板を使用することにより、学習能率や研修効率を高めることができる。
【００１１】
請求項３に係る考案によれば、本体笠枠３のライト取付部５には下面側開口部に半透明のカバー１０を取り付けているから、人が勝手に手で触れて感電するようなことがなく、安全性を確保できると共に、ＬＥＤ７の発光によるグレア（眩しい状態）が見えないように保護することができる。
【００１２】
請求項４に係る考案によれば、本体笠枠３の一側端部が全長にわたって断面下向きコ字状の嵌合枠部４を形成し、この断面下向きコ字状の嵌合枠部４が黒板１上端部の長手方向全域に嵌合するようになっているため、黒板１上端部に対する本体笠枠３の取付構造が堅固となり、本体笠枠３を黒板１上端部に有効に一体化することができる。
【図面の簡単な説明】
【００１３】
【図１】本考案に係る黒板装置の正面図である。
【図２】同黒板装置の縦断側面図である。
【図３】図２のＸ−Ｘ線断面図である。
【図４】図２の一部拡大図である
【考案を実施するための形態】
【００１４】
以下に本考案の好適な実施形態について図面を参照しながら説明すると、図面において１は黒板、２は黒板１の上端部に設置された黒板照明灯を示す。黒板１の左右側縁には、アルミ製の左右縁枠２１，２１が取り付けられ、下端縁にはアルミ製の粉受け２２が取り付けられ、この黒板１の上端部には、後述する黒板照明灯２における本体笠枠３の嵌合枠部４が取り付けられ、この嵌合枠部４が黒板１の上縁枠の役割を果たしている。
【００１５】
黒板１は、図２に概略示すように昇降枠２３に一体的に取り付けられており、この昇降枠３は、周知の昇降駆動手段（図示省略）を介して固定枠体２４に昇降可能に保持され、従って昇降枠２３と一体の黒板１は、昇降駆動手段の昇降駆動によって、図１の仮想線で示す上昇限位置と下降限位置との間で所要高さ位置に昇降させることができる。
【００１６】
黒板照明灯２は、黒板１上端部の長手方向全域にわたって取り付け固定される本体笠枠３を有する。この本体笠枠３は、図４に示すように、黒板１の上端部にその長手方向全長にわたって嵌合する断面下向きコ字状の嵌合枠部４を有する第１笠枠部３ａと、先端部側に下面側が開口したライト取付部５を形成した第２笠枠部３ｂとからなるもので、第１笠枠部３ａと第２笠枠部３ｂとは、対向端部の互いに係嵌する係嵌部３ａｏ，３ｂｏ間にねじ込まれたボルト２５によって一体的に連結されている。そしてこの本体笠枠３は、第１笠枠部３ａの嵌合枠部４を黒板１の上端部に嵌合して図示のようにビス２６止めすることにより、黒板１に対し一体的に堅固に取り付けられる。
【００１７】
本体笠枠３の第２笠枠部３ｂに形成されたライト取付部５にはＬＥＤライト６が取り付けられている。このＬＥＤライト６は、図３に示すように多数のＬＥＤ７・・・を直線状に連続的に配設することによって形成されるもので、各ＬＥＤ７は、図４に示すように、第２笠枠部３ｂに設けられた取付ベース８に取り付けられている。図３及び図４において、９はＬＥＤ用電力供給配線を示す。この実施形態のＬＥＤライト６は、取付ベース８に直線状に取り付けた多数のＬＥＤ７・・・を露出したままの状態にあるが、本考案に係るＬＥＤライト６としては、そのように取付ベース８に直線状に配設した多数のＬＥＤ７・・・を管体に内装することによって形成されるＬＥＤ蛍光灯でもよい。なお、黒板１が昇降黒板であっても、ＬＥＤライト６は昇降黒板１に一体的に取り付けられているため、昇降黒板１が昇降しても常に一定の照度分布が保てる。
【００１８】
また、図４に示すように、第２笠枠部３ｂに形成されたライト取付部５の下面側開口部５ａには、アクリル樹脂製の半透明カバー１０がライト取付部５の全長にわたって取り付けられている。このカバー１０は、多数のＬＥＤ７・・・を直線状に配設して形成されたＬＥＤライト６を下面側から覆うもので、人が勝手に手で触れて感電するようなことのないようにした安全カバーとしての機能と、ＬＥＤ７の発光によるグレア（眩しい状態）を見えないようにする保護機能とを有する。なお、前記半透明カバー１０は、専用光量調整アクリルレンズカバーによって形成されている。この専用光量調整アクリルレンズカバーは、その一面が梨地で、他面がフラットなアクリル板からなり、フラットな面にグラデーションで黒色のシルク印刷をすることで黒板面が均一に照るように光を調整し、梨地の面で光が拡散するようになっている。シルク印刷のグラデーションはＬＥＤの照射角度や黒板面までの距離を計算し設定されている。この仕様により、黒板面を照度差が少なく均一に照らされるようになっている。また、黒色のシルク印刷によって直接照射部を見たときのグレアも防止できる。
【００１９】
また、本体笠枠３には、図２及び図４に示すように、黒板１の前面側で電子黒板やタッチパネルなどのボード１１が黒板１の長手方向に移動可能に吊支されている。即ち、図４から分かるように、本体笠枠３の第１笠枠部３ａには嵌合枠部４と隣接した位置に、ハンガーレール１２が第１笠枠部３ａの全長にわたって一体に形成され、このハンガーレール１２には、下端部をボード１１の背面側上端部にビス２７により固定したブラケット１３の上端部に軸支された吊り車１４が走行自在に支持されている。ブラケット１３は、図３に示すように、ボード１１の背面側上端部の少なくとも前後両端部に夫々２個ずつ取り付けられている。
【００２０】
従って、上記ボード１１は、複数個のブラケット１３に夫々軸支されて本体笠枠３側のハンガーレール１２に支持される複数個の吊り車１４により、黒板１の長手方向に沿って軽い手動操作で自由に移動させることができる。尚、図示は省略するが、ボード１１には背面側下部の複数箇所に、黒板１上を転動するガイド輪を設けることにより、ボード１１をより安定状態でスムーズに黒板長手方向に移動させることができる。
【００２１】
上記ボード１１としては、電子黒板やタッチパネルなどを使用することができる。図示は省略するが、電子黒板は、文字や情報を電子ペンで表示する表示パネルを有する。また電子黒板を使用する場合は、この電子黒板の上部に短焦点プロジェクターを設置することにより、表示パネルに画像を投影することができる。また、黒板１側にもプロジェクターを設置することができる。
【００２２】
上記のように構成される黒板装置によれば、黒板照明灯２の本体笠枠３を、黒板１上端部の長手方向全域にわたって取り付け固定し、この本体笠枠３内に下面側が開口したライト取付部５を形成しているから、本体笠枠３を黒板１と一体化してコンパクトでスリムな構造にし、外観上の体裁、見栄えが良くなると共に、昇降式の黒板に設置した場合でも黒板１の昇降時に黒板１がガタつくようなことがない。そして、ライト取付部５に、多数のＬＥＤ７・・・を直線状に配設することによって形成されるＬＥＤライト６を取り付けているため、黒板１の長さ方向全域にわたって一様な照度分布が得られる一方、消費電力が小さく、ライトの使用寿命も非常に長くなり、地球環境に優しい省エネ対応の黒板照明灯２を備えた黒板装置を提供することができる。
【００２３】
また、上述した実施形態の黒板装置では、本体笠枠３に、黒板１の前面側で電子黒板やタッチパネルなどのボード１１を黒板１長手方向移動可能に吊支しているから、通常の黒板１の使用と共に、黒板１前面側の所要位置で電子黒板やタッチパネルなどの使用が可能となり、例えばボード１１として電子黒板を採用すれば、この黒板装置を学校や企業研修所などに設置した場合は、通常の黒板１の使用中に電子黒板を使用することにより、学習能率や研修効率を高めることができる。
【００２４】
また、上記実施形態の黒板装置にあっては、本体笠枠３の一側端部が全長にわたって断面下向きコ字状の嵌合枠部４を形成し、この断面下向きコ字状の嵌合枠部４が黒板１上端部の長手方向全域に嵌合するようになっているため、黒板１上端部に対する本体笠枠３の取付構造が堅固となり、本体笠枠３を黒板１上端部に有効に一体化することができる。なお、黒板１とこれに嵌合される嵌合枠部４とは、夫々噛み合うツメが刻設されており、互いのツメが噛み合った状態で黒板の先端部を持ち上げると黒板を横方向にスライドすることができ黒板先端部を下ろすと動かなくなる。前記嵌合枠部４を先に黒板１に取り付けることにより施工時の重さが重いものを取り付ける作業がなくなり、黒板を横方向にスライドできることにより連結時の配線が容易となる。又、ツメを引掛けて作業できるため作業時の黒板の落下の恐れもなく安全に施工することができる。
【符号の説明】
【００２５】
１            黒板
２            黒板照明灯
３            本体笠枠
４            嵌合枠部
５            ライト取付部
６            ＬＥＤライト
７            ＬＥＤ
１０          カバー
１１          ボード
【図１】
0003161454.tif 000003
【図２】
0003161454.tif 000004
【図３】
0003161454.tif 000005
【図４】
0003161454.tif 000006